(57)【特許請求の範囲】
【請求項１】
柱は、柱本体と柱本体の下方に延設された柱脚プレートとからなり、この柱脚プレートの下端面には上方向に梁とほぼ等しい幅に切欠された切欠部が設けられ、この切欠部の中に梁が挿入され、切欠部の両側壁の一方から梁を経て他方に貫通したボルトで柱脚プレートが梁に固定されるとともに、前記梁には、これにほぼ直角に配置される梁が、前記切欠部の他方の側壁を挟んで差し渡された固定用金具で連結されていること特徴とする梁勝ちの柱接合構造。
【請求項２】
ほぼ矩形の四隅に立設された４本の下階柱を備えた下階建物ユニットの上に据え付けられてユニット建物を構成する上階建物ユニットであって、下階建物ユニットの４本の下階柱の上方を四隅とした矩形の辺に沿って連結した４本の梁と、この４本の梁の中の相対する１組の梁の中間を結ぶ補助梁と、この補助梁の中間に補助梁勝ちに立設された１本の柱と、補助梁と梁の連結部に梁勝ちに立設された１本の柱と、下階柱の上方に立設された１本の柱と、前記３本の柱とほぼ矩形を形成する位置にある別の梁の中間に梁勝ちに立設された１本の柱とを備え、前記連結部の柱は、柱本体と柱本体の下方に延設された柱脚プレートとからなり、この柱脚プレートの下端面には上方向に梁とほぼ等しい幅に切欠された切欠部が設けられ、この切欠部の中に梁が挿入され、切欠部の両側壁の一方から梁を経て他方に貫通したボルトで柱脚プレートが梁に固定されるとともに、前記連結部では、梁と補助梁とが前記切欠部の他方の側壁を挟んで差し渡された固定用金具で連結されていることを特徴とする上階建物ユニット。
【請求項３】
前記柱脚プレートの断面係数は、前記柱本体の断面係数より大きいことを特徴とする請求項１に記載の梁勝ちの柱接合構造。
【請求項４】
前記柱脚プレートの断面係数は、前記柱本体の断面係数より大きいことを特徴とする請求項２に記載の上階建物ユニット。
【発明の詳細な説明】
【０００１】
【発明の属する技術分野】
本発明はユニット建物を構成する上階建物ユニット、梁勝ちの柱接合構造及び建物ユニットに関する。
【０００２】
【従来の技術】
従来、ユニット建物としては種々なものが知られている。
例えば、特公昭６２−６２２２４号公報には、矩形のほぼ四隅に立設された４本の柱と、この４本の柱の下端部を矩形の辺に沿って連結した４本の床梁と、４本の柱の上端部を矩形の辺に沿って連結した４本の天井梁とを備えた建物ユニットが記載されている。
又、特公平２−１１３７５号公報には、矩形の四隅に配置した４個のジョイントボックスと、このジョイントボックスを矩形の辺に沿って連結した４本の梁と、このジョイントボックスに立設した４本の柱（矩形の四隅に立設けされた４本の柱）とを備えた建物ユニットが記載されている。
【０００３】
これ等の建物ユニットは、これを、予め、工場で製造し、この建物ユニットの複数個を施工現場に運搬し、施工現場で水平方向や垂直方向に組み立ててユニット建物となすものである。このユニット建物は、現場施工期間が短く、且つ、寸法精度のよい標準化された建物となる特徴があることから、近年、広く採用されている。
しかし、下階建物ユニットの上に、水平断面がほぼ同じ上階建物ユニットを組み立てる場合には、下階柱の上に上階建物ユニットの柱が載るので、支障なく組み立てることができる。しかし、下階建物ユニットの上に大きさの異なる上階建物ユニット（特に、下階建物ユニットより小さい上階建物ユニット）を載せると、上階建物ユニットの柱の少なくとも２本が下階柱の上に載らなくなり、上階建物ユニットが不安定になる。
【０００４】
かかる問題を解決する構造としては、特開昭６１−１２６２４３号公報（以後従来例１と称する）に記載されている構造が知られている。
この建物ユニットは、上階建物ユニットまたは下階建物ユニットの柱に対応する位置に配置されたジョイントボックスを含む梁を使用するものであり、この梁はジョイントボックスの両側に分割された梁が連結されたものである。そして、この建物ユニットの施工方法は、ジョイントボックスに上階建物ユニットの柱を立設させたり、下階建物ユニットの柱の上にジョイントボックスを載せたりしてジョイントボックスと上階建物ユニットや下階建物ユニットの柱とを連結して、下階建物ユニットの上に上階建物ユニットをセットバックして組み立てるのである。
【０００５】
又、特公平８−１４１４６号公報（以後従来例２と称する）には、４本の下階柱の上方を四隅とした矩形の辺に沿って連結する４本の床梁と、この相対する１組の床梁の中間に柱勝ちに立設された２本の柱と、この２本の柱とほぼ矩形を形成する下階柱の上方に立設された２本の柱とを備えたセットバック型の上階建物ユニットが記載されている。
この柱勝ちとは、柱が床梁の間に入って取り付けられていることをいい、この床梁は柱の両側に分割された床梁が連結されたものである。
【０００６】
【発明が解決しようとする課題】
しかし、従来例１や従来例２に記載されている建物ユニットでは床梁の中間にジョイントボックスや柱が設けられ、このジュイントボックスや柱の両側に床梁が連結されているので、接続箇所が増え、その結果、床梁を製造する工数が増えて製造し難いし、この接続をスポット溶接等で機械化する場合に、この接続する機械を接続する位置まで移動させる必要があり不便であった。
【０００７】
又、接続する際に接続欠損が発生し易く、１本ずつ床梁を検査する必要があり極めて不便である。
又、床梁の連続性が損なわれ、床梁が一直線状になり難く、その結果、建物ユニットの精度を出し難いという問題がある。
【０００８】
また、従来例１や従来例２に記載されている上階となるセットバック型の建物ユニットでは、部屋空間となる直方体の居室部分とバルコニー部や下屋部などの低い部分とからなり、その形状が低い部分を有する変則形状になっている。このため、建物ユニットを吊り上げる時に、建物ユニットの四隅の高さが異なり、バランスがとれなかったり、建物ユニットを養生するカバーが複雑な形状になり、製作が難しく、高価になるなどの問題がある。
【０００９】
そこで、本発明の目的は、中間に接続部のない梁を使用し、下階建物ユニットの上に取り付けられ、しかも、この下階建物ユニットより容積の小さい上階建物ユニット、中間に接合部のない梁に柱を接合させる梁勝ちの柱接合構造及び吊り上げや養生の容易な建物ユニットを提供することである。
【００１０】
【課題を解決するための手段】
本発明は上記問題を解決するためになされたものであって、請求項１記載の発明は、柱は、柱本体と柱本体の下方に延設された柱脚プレートとからなり、この柱脚プレートの下端面には上方向に梁とほぼ等しい幅に切欠された切欠部が設けられ、この切欠部の中に梁が挿入され、切欠部の両側壁の一方から梁を経て他方に貫通したボルトで柱脚プレートが梁に固定されるとともに、前記梁には、これにほぼ直角に配置される梁が、前記切欠部の他方の側壁を挟んで差し渡された固定用金具で連結されていること特徴とする梁勝ちの柱接合構造である。
【００１１】
請求項２記載の発明は、ほぼ矩形の四隅に立設された４本の下階柱を備えた下階建物ユニットの上に据え付けられてユニット建物を構成する上階建物ユニットであって、下階建物ユニットの４本の下階柱の上方を四隅とした矩形の辺に沿って連結した４本の梁と、この４本の梁の中の相対する１組の梁の中間を結ぶ補助梁と、この補助梁の中間に補助梁勝ちに立設された１本の柱と、補助梁と梁の連結部に梁勝ちに立設された１本の柱と、下階柱の上方に立設された１本の柱と、前記３本の柱とほぼ矩形を形成する位置にある別の梁の中間に梁勝ちに立設された１本の柱とを備えていることを特徴とする上階建物ユニットである。
【００１２】
ここで、前記連結部の柱は、柱本体と柱本体の下方に延設された柱脚プレートとからなり、この柱脚プレートの下端面には上方向に梁とほぼ等しい幅に切欠された切欠部が設けられ、この切欠部の中に梁が挿入され、切欠部の両側壁の一方から梁を経て他方に貫通したボルトで柱脚プレートが梁に固定されるとともに、前記連結部では、梁と補助梁とが前記切欠部の他方の側壁を挟んで差し渡された固定用金具で連結されている。
【００１６】
本発明における梁勝ちに立設された柱または補助梁勝ちに立設された柱とは、梁または補助梁が一方から他方に通っていて、この梁または補助梁の上に立設された柱を意味する。
【００１７】
又、本発明における下階建物ユニットは、矩形のほぼ四隅に４本の下階柱が立設されている建物ユニットであればよい。例えば、特公昭６２−６２２２４号公報に記載されている形式の建物ユニットでもよいし、特公平２−１１３７５号公報に記載されている形式の建物ユニットでもよい。
【００１８】
そして、本発明における上階建物ユニットは、この下階建物ユニットの４本の下階柱の上方を四隅とする矩形の辺に沿って４本の梁が連結しているが、下階建物ユニットが特公昭６２−６２２２４号公報に記載されている形式の建物ユニットの場合には、下階柱の上端部が天井梁で連結されているので、下階建物ユニットの上に上階建物ユニットを組み立てると、上階建物ユニットの梁は下階建物ユニットの天井梁にほぼ平行に取り付けられることになる。
【００１９】
又、下階建物ユニットが特公平２−１１３７５号の場合には、下階建物ユニットの上に上階建物ユニットを組み立てると、下階建物ユニットの下階柱の上に、直接、梁を取り付ければよい。この際、この柱の上端に相対する場所にジョイントボックスを配置し、ジョイントボックスを梁で連結すると、梁が簡単に下階柱の上に連結できるので好ましい。
【００２０】
また、相対する１組の梁の中間に梁勝ちに２本の柱が立設されているが、図１５（イ）に示すように、この梁２２ａとこの梁２２ａに立設された柱３２ａの交点同士を結ぶ別の梁２９ａを設けると、この両方の梁２２ａ、２９ａに小梁や根太を架け渡して設けるときに便利である。
【００２１】
請求項２記載の発明においては、補助梁の中間に補助梁勝ちに立設された１本の柱と、補強梁と梁の連結部に梁勝ちに立設された１本の柱と、下階柱の上方に立設された１本の柱と、前記３本の柱とほぼ矩形を形成する位置にある別の床梁の中間に梁勝ちに立設された１本の柱とからなるが、図１に示すように、補助梁４とこの補助梁４に立設された柱３１との交点と、この補助梁４に相対する床梁２２とこの床梁２２に立設された柱３４との交点とを結ぶ別の梁２５を設けると、相対する梁２２と梁２５に、又、梁２２と補助梁４に小梁や根太を架け渡して設けたりするときに便利である。
【００２２】
請求項３記載の発明および請求項４記載の発明では、柱が柱本体と、この柱本体の下方に延設された柱脚プレートとからなり、柱脚プレートの下端面には上方向に梁（または補助梁）とほぼ等しい幅に切欠された切欠部が設けられているが、この切欠部が設けられた柱脚プレートを柱本体の断面係数より大きくするとこの柱脚プレートを設けることよる曲げ強度や撓み等の機械的強度の低下がなく好ましい。
【００２３】
例えば、図８（イ）に示すように、柱が１２５ｍｍ×１２５ｍｍ、厚み６ｍｍの角筒であり梁（または補助梁）の幅が８０ｍｍである場合には、この柱本体の断面係数は１０３ｃｍ3 である。そして、柱本体の下方に延設された柱脚プレート（断面の縦横の寸法は柱本体とほぼ同じ）の下端面を上方向に梁の幅（８０ｍｍ）だけ切欠すると、図８（ロ）に示すように、両側に２２．５ｍｍずつ残る。即ち、厚みが２２．５ｍｍである。従って、この柱脚プレートの梁（または補助梁）に沿った方向の断面係数は２３８．８９ｃｍ3 であり、これと直角方向の断面係数は１１５．８９ｃｍ3 であり、両方とも柱本体の断面係数より大きくなる。従って、この柱脚プレートは機械的強度が大きく好ましい。
【００２４】
又、この切欠部の中に梁（または補助梁）が挿入され、切欠部の両側壁の一方から梁（または補助梁）を経て他方に貫通したボルトで柱脚プレートが梁（または補助梁）に固定されているが、この際のボルトの締付力による柱脚プレートのモーメント（Ｍｂ）が柱脚にかかる曲げモーメント（Ｍａ）より大きいと柱が倒れないので、この締付力による柱脚プレートの曲げモーメント（Ｍｂ）を大きくする方が好ましい。
【００２５】
具体的には、図８（イ）に示すように、柱脚プレートの両側壁に幅ｄだけ隔てた２本のボルトで柱脚プレートが梁（または補助梁）に接続されている場合では、柱脚にかかる曲げモーメント（Ｍａ）＜締付力による柱脚プレートの曲げモーメント（Ｍｂ＝ｎμＰ×ｄ）である間は柱が倒れない。ここでｎは摩擦係数μの接合面の数である。又、Ｐは締付力である。
【００２６】
例えば、摩擦係数（μ）＝０．３、接合面の数（ｎ）＝２、締付力（Ｐ）＝１０．６ｔ、２本のボルトの距離（ｄ）＝１９ｃｍであると、締付力による柱脚プレートのモーメント（Ｍｂ）＝１２０ｔ・ｃｍとなり、極めて大きくなり、この柱脚プレートのモーメント（Ｍｂ）まで柱が倒れない。従って、この柱は倒れ難く丈夫であり、好ましい。
このようにボルトの締付力は大きい程好ましい。かかる意味からボルトとしては締付力の大きい高力ボルトが好ましい。
【００２７】
又、梁（または補助梁）が図７に示すようなＣ形鋼材であり、ボルトをＣ形鋼材のウェッブからＣ形の先端の突出部に貫通する場合には、ボルトが通過するウェッブとＣ形の先端の突出部との間に支圧パイプを取り付けると、ボルトで締め付けたときに、Ｃ形鋼材が潰れたり柱脚プレートが変形することがないので、安心して、締付力を大きくすることができ好ましい。
【００２９】
【作用】
この発明では、柱は梁勝ちに立設されているから、梁に接続部がない。従って、梁に接続箇所がなく製造し易いし、接続欠損の発生を心配する必要がない。
【００３０】
請求項２記載の発明の上階建物ユニットは、下階建物ユニットの４本の下階柱の上方を四隅とする矩形の辺に沿って連結した４本の梁と、このこの４本の梁の中の相対する１組の梁の中間を結ぶ補助梁と、この補助梁の中間に立設された１本の柱と、補助梁と梁の連結部に立設された１本の柱と、下階柱の上方に立設された１本の柱と、前記３本の柱とほぼ矩形を形成する位置にある別の床梁の中間に立設された１本の柱とを備えているから、柱を梁に強固に取り付けることにより、上階建物ユニットを、この上階建物ユニットより大きい下階建物ユニットの上に支障なく安定した状態に取り付けることができる。
しかも、梁や補助梁の中間に立設された柱は、梁勝ちや補助梁勝ちに立設されているから、梁や補助梁に接続部がない。従って、梁や補助梁に接続箇所がなく製造し易いし、接続欠損の発生を心配する必要がない。
【００３１】
また、梁の中間に梁勝ちに立設された柱（または補助梁の中間に補助梁勝ちに立設された柱）は、柱本体と、この柱本体の下方に延設された柱脚プレートとからなり、この柱脚プレートの下端面には上方向に梁（または補助梁）とほぼ等しい幅に切欠された切欠部が設けられ、この切欠部の中に梁（または補助梁）が挿入され、切欠部の両側壁の一方から梁（または補助梁）を経て他方に貫通したボルトで柱脚プレートが梁（または補助梁）に固定されているから、柱脚プレートが梁（または補助梁）を跨いで取り付けられていて、柱を梁勝ちに（あるいは補助梁勝ちに）立設することができる。従って、梁に溶接部がなく、梁が製造し易いし、溶接欠陥を心配することがない。
【００３２】
又、この柱脚プレートに切欠部が設けられていても、柱脚プレートの断面係数を大きくすることにより、機械的強度の低下を防ぐことができる。
又、切欠部の両側壁の一方から梁または補助取りを経て他方に貫通したボルトの締付力を大きくすることにより、倒れ難い柱とすることができる。
このように、柱を梁に強固に取り付けることができる。
【００３６】
【発明の実施の形態】
次に、本発明の実施例を説明する。
（実施例１）
図１〜図１４は本発明の一実施例を示すもので、図１は下階建物ユニットの上に上階の建物ユニットを載せている状態を骨格のみで示す説明図、図２は上階建物ユニットの床部分の骨格を示す平面図、図３は図２のＡ部分を拡大して示す平面図、図４は図２のＢ部分を拡大して示す平面図、図５は図２のＣ−Ｃ線における断面を拡大して示す断面図、図６は図２のＤ−Ｄ線における断面を拡大して示す断面図、図７は図２のＡ部分の梁に柱が立設された状態を分解して示す説明図、図８（イ）はＡ部分の梁に柱が立設された状態を示す斜視図、（ロ）は（イ）のＥ−Ｅ線における柱脚プレートの断面図、図９（イ）は柱脚プレートの正面図、（ロ）は（イ）の平面図、（ハ）は（イ）の側面図、（ニ）は（イ）の背面図、（ホ）は（イ）のＦ−Ｆ線における断面図、（ヘ）は（イ）のＧ−Ｇ線における断面図、図１０（イ）は仕口エンドプレートの正面図、（ロ）は（イ）の側面図、（ハ）は（イ）の背面図、図１１（イ）は支圧パイプの正面図、（ロ）は（イ）の側面図、（ハ）は（イ）の平面図、図１２は上階建物ユニットの保管養生を説明する斜視図、図１３は仮柱の立設状態を説明する正面図、図１４は上階建物ユニットの吊り上げ状態を説明する斜視図である。
【００３７】
１は下階建物ユニットであり、この下階建物ユニット１は、図１に示すように、矩形の四隅に配置された４個の下階ジョイントボックス１１と、この４個の下階ジョイントボックス１１を矩形の辺に沿って連結した４本の下階梁１２と、下階ジョイントボックス１１に立設された４本の下階柱１３を備えている。
従って、下階柱１３は矩形の四隅に立設されている。
【００３８】
２は２方向セットバック型の上階建物ユニットである。この上階建物ユニット２は、図１に示すように、下階柱１３の上方を矩形の四隅とする位置（下階ジョイントボックス１１とほぼ同じ矩形の四隅）に配置されたジョイントボックス２１と、このジョイントボックス２１を矩形の辺に沿って連結した４本の梁２２と、この４本の梁の中の相対する１組の床梁２２の中間を結ぶ補助梁（中間床梁）４と、この補助梁４の中間に立設された柱３１と、補助梁４と梁２２の連結部に立設された柱３２と、下階柱１３の上方にあるジョイントボックス２１に立設された柱３３と、別の梁２２の中間に立設された柱３４と、補助梁４と柱３１の交点と別の梁２２と柱３４の交点とを結ぶ梁２５とを備えている。そして、これ等の柱３１、３２、３３、３４によってほぼ矩形が形成されている。
【００３９】
そして、この上階建物ユニット２は下階建物ユニット１の上に、ジョイントボックス２１の中に下階柱１３の上端部が挿入された状態に、据え付けられるのである。
柱３１、柱３２、柱３４は、図３、図５、図６に示すように、補助梁４や梁２２の中間に補助梁４勝ちや梁２２勝ちに立設けされている。
【００４０】
この柱３１、３２、３４の立設構造について説明する。
ここで、立設された柱（柱３１、３２、３４）をＸ、この柱Ｘを立設する梁（梁２２や補助梁４）をＹとし、この梁Ｙにほぼ直角に取り付けられた梁（補助梁４や梁２５）をＺとして説明する。
柱Ｘは、図７、図８に示すように、柱本体Ｘ１と、この柱本体Ｘ１の下方に溶接されて延設された柱脚プレート５とからなる。この柱本体Ｘ１の水平断面の縦と横は柱脚プレート５の水平断面とほぼ同じであって、ほぼ１２５ｍｍ×１２５ｍｍである。尚、柱本体Ｘ１は厚みほぼ６ｍｍの鋼板を筒状にしたものであるが柱脚プレート５は長さがほぼ２８０ｍｍの塊である。
【００４１】
この柱脚プレート５は、図９に示すように、下端面から上方に梁Ｙの幅とほぼ等しい幅（ほぼ８０ｍｍ）で、長さほぼ２５５ｍｍに切欠された切欠部５１が設けられて、切欠部５の両側に厚みほぼ２２．５ｍｍの両側壁５２、５３が形成されている。
この柱脚プレート５の梁Ｙに沿った方向の断面係数は２３８．９ｃｍ3 であり、これと直角方向の断面係数は１１５．８９ｃｍ3 であって、柱の断面係数１０３ｃｍ3 より大きく、従って、この柱脚プレート５に切欠部５１を設けても、曲げ強度や撓み等の機械的強度の低下がない。
【００４２】
一方の壁５２にはＭ１６のナットまたはボルトの頭が挿入できる大きさの窪み５５が上下２箇所に設けられ、この窪み５５から他方の壁５３に貫通したＭ１６が入る大きさの通孔５６（径ほぼ１９ｍｍ）が設けられている。この２個の通孔５６、５６の間隔は１９０ｍｍである。
梁Ｙは高さほぼ２５０ｍｍ、幅ほぼ８０ｍｍで、開口部に上下に５０ｍｍずつ突出した突出部ｙが形成されているＣ形状の鋼製長尺体である。
【００４３】
そして、図３、図５〜図８に示すように、この柱脚プレート５の切欠部５１の中に梁Ｙが挿入され、一方の壁５２の通孔５６から梁Ｙのウェッブ、突出部ｙを通過して他方の壁５２に設けられている通孔５６にＭ１６の高力ボルト５８が貫通され、この高力ボルト５８にナット５９が螺入されて取り付けられている。
この高ボルト５８を締付力１０．６ｔで取り付けると、摩擦によるこの柱脚プレートの曲げモーメントは１２０ｔ・ｃｍとなり、極めて大きく、従って、柱３１、３２、３４が倒れるようなことがない。
【００４４】
尚、高力ボルト５８とナット５９で強力に締め付けることができるように、梁Ｙのウェッブと突出部ｙとの間に支圧パイプ６が挿入されている。
この支圧プイプ６は、図１１に示すように、長さほぼ７５．４ｍｍ、高さほぼ３０ｍｍ、幅ほぼ４１ｍｍで、角に丸みを持たせた直方体であり、中心に直径ほぼ１８ｍｍの通孔６１が設けられている。
又、梁Ｙと、この梁Ｙにほぼ直角に取り付けられた梁（補助梁４や梁２５）Ｚとの連結構造は、柱脚プレート５の外側の梁Ｙから、この梁Ｙにほぼ直角に配置された梁Ｚとの間に差し渡された固定用金具６５で連結されている。
【００４５】
又、この梁Ｚ（４）の他方の端部と梁２２との接合部（図２のＢ部分）は、図４に示すように、梁エンドプレート７が梁Ｚ（４）に取り付けられていて、この梁エンドプレート７がボルト７５・ナット７６で梁２２に取り付けられている。
尚、この梁エンドプレート７は、図１０に示すように、梁４に取り付けられる筒状体７１と、この筒状体７１の一端に取り付けられた板体７２とからなり、この板体のほぼ中央に、ボルト７５が通過する通孔７３が設けられている。
【００４６】
次に、この上階建物ユニット２の施工方法について説明する。
先ず、ジョイントボックス２１を矩形の四隅に配置し、４本の梁２２を矩形の辺に沿って配置し、梁２２とジョイントボックス２１を溶接して取り付ける。
又、柱本体Ｘ１の下端に柱脚プレート５を溶接して取り付けて柱３１、３２、３４を製造する。又、柱３３はジョイントボックス２１の上に立設し、溶接して固定する。
【００４７】
次に、相対する梁２２、２２に補助梁（中間床梁）４を差し渡し、図２に示すＡ部分では、梁２２と補助梁４との間に固定用金具６５を差し渡し、梁２２と固定用金具６５とを、又、固定用金具６５と補助梁４とをそれぞれ溶接して取り付ける。又、図２に示すＢ部分では、補助梁４の先端にエンドプレート７の筒状体７１を挿入し、このエンドプレート７を梁２２にボルト７５とナット７６で連結して取り付け、この後にエンドプレート７の筒状体を補助梁４に溶接して取り付ける。
【００４８】
又、梁２５を梁２２と補助梁４との間に差し渡し、梁２２と梁２５との間に、又、梁２５と補助梁４との間にそれぞれ固定用金具６５を差し渡し、固定用金具６５と梁２２、２５または補助梁４とを溶接して補助梁４を取り付ける。
次に、柱３１、３２、３４を図２のＡ部分にそれぞれ立設する。
【００４９】
この柱３１、３２、３４の立設方法は、前述したように、梁Ｙのウエッブと突出部ｙとの間に支圧パイプ６を挿入し、柱脚プレート５の切欠部５１の中に梁Ｙを挿入し、一方の壁５２の通孔５６から梁Ｙのウェッブ、支圧パイプ６、突出部ｙを通過して他方の壁５２に設けられている通孔５６にＭ１６の高力ボルト５８を貫通させ、この高力ボルト５８にナット５９を螺入して取り付ける。
この際、高ボルト５８を締付力１０．６ｔで取り付けると、摩擦による柱脚プレートのモーメントは１２０ｔ・ｃｍとなり、十分に大きい。従って、柱Ｘが倒れるようなことがない。
【００５０】
又、柱３３は、従来と同様に、下階建物ユニット１の下階柱１３の上方にあるので強固に取り付けられる。
このように、全ての柱３１、３２、３３、３４は強固に取り付けられているので、下階建物ユニット１の上に、この下階建物ユニット１より小さい上階建物ユニット２を安定した状態に取り付けることができる。
【００５１】
又、このように柱３１、３２、３４を梁２２や補助梁４に取り付けると、柱３１、３２、３４は、梁２２勝ちまたは補助梁４勝ちに立設されるから、梁２２や補助梁４に接続部がない。従って、接続箇所がなく梁２２や補助梁４がに製造し易いし、接続欠損の発生を心配する必要がない。
【００５２】
このようにして製造した上階建物ユニット２の骨格に床パネルを取り付けたり、壁パネルを取り付けたり、下階の天井パネルを取り付けたり、或いは上階の天井パネルを取り付けたりして上階建物ユニットを製造する。
【００５３】
上階建物ユニット２を居室部とバルコニー部を有するものとして製造する場合には、図１２の（イ）に示すように、そのジョイントボックス２１、２１にバルコニー手すり壁支持用の長さ１１０ｃｍの手すり柱３６、３７を溶接して固定立設する。
【００５４】
次に、この上階建物ユニット２を保管、運搬する場合について説明する。
図１２の（イ）に示すように、標準用の仮柱８１と手すり用の仮柱８２、８３を用意し、図１２の（ロ）に示すように、上階建物ユニット２に取り付けるのである。具体的には、上階建物ユニット２の残りのジョイントボックス２１に仮柱８１を立設し、手すり柱３６、３７に仮柱８２、８３を接合立設する。
【００５５】
仮柱８１の立設は、図１３に示すように、ジョインボックス２１に設けた裏ナット２１３に、仮柱８１を回転してそのナット８１２を螺着することにより接合固定する。裏ナット２１３は、ジョインボックス２１に内蔵された短柱２１１の上面に溶接された孔開き上端プレート２１２の裏面に溶接固定されている。ナット８１２は、仮柱８１の下面に溶接された孔開き下端プレート８１１の裏面に溶接固定されている。
【００５６】
手すり柱３６、３７の頭部も、図１３の短柱２１１と同様になっており、仮柱８２、８３の下部も、仮柱８１と同様になっており、上記と同様にして、手すり柱３６、３７の頭部に仮柱８２、８３の下部を螺着により接合固定する。
柱３３、仮柱８１、８２、８３の頭部は、上記図１３の短柱２１１と同様になっている。
【００５７】
上記のように仮柱８１、８２、８３を取り付けると、上階建物ユニット２の四隅には、ほぼ同じ高さの柱３３、仮柱８１、８２、８３が存在するものとなる。そこで、保管、運搬のため、図１２の（ハ）に示すように、下方開口の直方体状の養生カバー９を被せることができる。この養生カバー９は、直方体状であるから、下階建物ユニット１用のものと同形状となり、一般的な下階建物ユニット１用の養生カバーを流用することができる。
【００５８】
このとき、上階建物ユニット２の２方向のバルコニー部３８、３９には広い空間ができるので、ここに、他の建物部材を載置、収納して保管、運搬することなどができる。
この養生カバー９で被覆された上階建物ユニット２は、建築施工現場にトラックで運搬される。
【００５９】
建築施工現場では、養生カバー９を外し、図１４に示すように、柱３３、仮柱８１、８２、８３の頭部にアイボルトなどの吊部を取り付け、ワイヤー９１を掛け、クレーン９２で吊り上げるのである。この時、仮柱８１、８２、８３があるので、ワイヤー９１の取り付けも容易であり、バランスも取り易く、吊り上げ作業が簡単で、迅速に行える。
【００６０】
建築施工現場では、先に基礎の上に下階建物ユニット１を据え付ける。その後、上記のように上階建物ユニット２を吊り上げ、この下階建物ユニット１の柱１３の上端を上階建物ユニト２のジョイントボックス２１の中に入れるようにして連結し、下階建物ユニット１の上に上階建物ユニット２を据え付ける。その後に仮柱８１、８２、８３を必要により取り外し、屋根など種々の仕上げを行って、ユニット建物を完成させる。
【００６１】
尚、養生カバー９を被せたまま、建物ユニット２を吊り上げて据え付ければ、雨天でもバルコニー部３８、３９の防水工事などができる。仮柱８１、８２、８３は回収して再利用できる。
【００６２】
（実施例２）
図１５は本発明の他の実施例を示すもので、上階建物ユニット２ａの骨格（イ）とこれに仮柱を取り付けた状態（ロ）を示す説明図である。
【００６３】
図１５に示す上階建物ユニット２ａは、一方向セットバック型の建物ユニットになっている。
図１５に示す実施例２を図１〜図１４に示す実施例１と比較すると、上階建物ユニット２ａは、下階建物ユニットの４本の下階柱の上方を四隅とする矩形の辺に沿って連結した４本の梁２２ａ、２２ａ、２２ａ、２２ａと、この４本の梁２２ａの中の相対する１組の梁２２ａ、２２ａの中間に立設された２本の柱３２ａ、３２ａと、この２本の柱３２ａ、３２ａとほぼ矩形を形成する位置にある下階建物ユニットの下階柱の上方に立設された２本の柱３３ａ、３３ａとを備えていること、この２本の柱３２ａ、３２ａが梁２２ａ、２２ａに梁勝ちに立設されていること、および、柱３２ａと梁２２ａの交点同士が梁２９ａで連結されていることが異なる。
【００６４】
そして、柱３２ａと梁２２ａの連結構造は、実施例１のＡ部分の連結構造と同じである。
このようになっているので、この上階建物ユニット２ａを、この上階建物ユニット２ａより大きい下階建物ユニットの上に支障なく安定した状態に取り付けることができる。
【００６５】
又、柱３２ａ、３２ａは、相対する１組の梁２２ａ、２２ａの中間に梁勝ちに立設されているから、梁２２ａ、２２ａに接続部がない。従って、梁２２ａに接続箇所がなく製造し易いし、接続欠損の発生を心配する必要がない。
その他は図１〜図１４に示す実施例１と同様であるので説明を省略する。
【００６６】
この上階建物ユニット２ａを保管、運搬する場合には、図１５の（ロ）に示すように、仮柱８１ａ、８１ａを取り付ける。仮柱８１ａは、実施例１の標準用の仮柱８１と同じものである。仮柱８１ａはジョイントボックス２１ａに図１３と同様にして、接合固定される。
【００６７】
この上階建物ユニット２ａは、その四隅に柱３３ａ、３３ａ、仮柱８１ａ、８１ａが存在し、ほぼ同じ高さになる。この上階建物ユニット２ａの各柱頭にアイボルトなどの吊部を設けて吊り上げるとバランスのよい状態となり、養生カバーを被せる場合も下階の建物ユニットの養生カバーと同じ下方開口の直方体状の養生カバーが使用できる。仮柱８１ａ、８１ａと柱３２ａ、３２ａで囲われる空間は、他の建物部材などを載置収納し、保管、運搬することなどができる。
【００６８】
以上、本発明の実施例を図面により詳述してきたが、具体的な構成はこの実施例に限られるものでなく、本発明の要旨を逸脱しない範囲の設計変更等があっても本発明に含まれる。
【００６９】
【発明の効果】
この発明では、柱は梁勝ちに立設されているから、梁に接続部がない。従って、梁に接続箇所がなく製造し易いし、接続欠損の発生を心配する必要がない。
【００７０】
請求項２記載の発明の上階建物ユニットは、下階建物ユニットの４本の下階柱の上方を四隅とする矩形の辺に沿って連結した４本の梁と、この４本の梁の中の相対する１組の梁の中間を結ぶ補助梁と、この補助梁の中間に立設された１本の柱と、補助梁と梁の連結部に立設された１本の柱と、下階柱の上方に立設された１本の柱と、前記３本の柱とほぼ矩形を形成する位置にある別の床梁の中間に立設された１本の柱とを備えているから、上階建物ユニットを、この上階建物ユニットより大きい下階建物ユニットの上に支障なく安定した状態に取り付けることができる。
しかも、梁や補助梁の中間に立設された柱は、梁勝ちや補助梁勝ちに立設されているから、梁や補助梁に接続部がない。従って、梁や補助梁に接続箇所がなく製造し易いし、接続欠損の発生を心配する必要がない。
【００７１】
また、梁の中間に梁勝ちに立設された柱（または補助梁の中間に補助梁勝ちに立設された柱）は、柱本体と、この柱本体の下方に延設された柱脚プレートとからなり、この柱脚プレートの下端面には上方向に梁（または補助梁）とほぼ等しい幅に切欠された切欠部が設けられ、この切欠部の中に梁（または補助梁）が挿入され、切欠部の両側壁の一方から梁（または補助梁）を経て他方に貫通したボルトで柱脚プレートが梁（または補助梁）に固定されているから、柱脚プレートが梁（または補助梁）を跨いで取り付けられていて、梁勝ち（または補助梁勝ち）に強固に立設することができ、梁に溶接部がなく、梁が製造し易いし、溶接欠陥を心配することがない。
【００７２】
又、この柱脚プレートに切欠部が設けられていても、柱脚プレートの断面係数を大きくすることにより、機械的強度の低下を防ぐことができる。
又、切欠部の両側壁の一方から梁または補助取りを経て他方に貫通したボルトの締付力を大きくすることにより、倒れ難い柱とすることができる。
このように柱を梁に強固に取り付けることができる。
【図面の簡単な説明】
【図１】本発明の一実施例を示すもので、下階建物ユニットの上に上階の建物ユニットを載せている状態を骨格のみで示す説明図である。
【図２】上階建物ユニットの床部分の骨格を示す平面図である。
【図３】図２のＡ部分を拡大して示す平面図である。
【図４】図２のＢ部分を拡大して示す平面図である。
【図５】図２のＣ−Ｃ線における断面を拡大して示す断面図である。
【図６】図２のＤ−Ｄ線における断面を拡大して示す断面図である。
【図７】図２のＡ部分の梁に柱が立設された状態を分解して示す説明図である。
【図８】（イ）はＡ部分の梁に柱が立設された状態を示す斜視図、（ロ）は（イ）のＥ−Ｅ線における柱脚プレートの断面図である。
【図９】（イ）は柱脚プレートの正面図、（ロ）は（イ）の平面図、（ハ）は（イ）の側面図、（ニ）は（イ）の背面図、（ホ）は（イ）のＦ−Ｆ線における断面図、（ヘ）は（イ）のＧ−Ｇ線における断面図である。
【図１０】（イ）は仕口エンドプレートの正面図、（ロ）は（イ）の側面図、（ハ）は（イ）の背面図である。
【図１１】（イ）は支圧パイプの正面図、（ロ）は（イ）の側面図、（ハ）は（イ）の平面図である。
【図１２】上階建物ユニットの保管養生を説明する斜視図である。
【図１３】仮柱の立設状態を説明する正面図である。
【図１４】上階建物ユニットの吊り上げ状態を説明する斜視図である。
【図１５】本発明の他の実施例を示すもので、上階建物ユニットの骨格（イ）とこれに仮柱を取り付けた状態（ロ）を示す説明図である。
【符号の説明】
１                  下階建物ユニット
１３                下階柱
２、２ａ            上階建物ユニット
２１                ジョイントボックス
２２、２２ａ        梁
２５                梁
２９ａ              梁
３１                柱
３２、３２ａ        柱
３３、３３ａ        柱
３４                柱
３６、３７          手すり柱
４                  補助梁（中間床梁）
５                  柱脚プレート
５１                切欠部
８１、８１ａ        仮柱
８２、８３          仮柱
９                  養生カバー
【図１】
0004005734.tif 000002
【図２】
0004005734.tif 000003
【図３】
0004005734.tif 000004
【図４】
0004005734.tif 000005
【図５】
0004005734.tif 000006
【図６】
0004005734.tif 000007
【図７】
0004005734.tif 000008
【図８】
0004005734.tif 000009
【図９】
0004005734.tif 000010
【図１０】
0004005734.tif 000011
【図１１】
0004005734.tif 000012
【図１２】
0004005734.tif 000013
【図１３】
0004005734.tif 000014
【図１４】
0004005734.tif 000015
【図１５】
0004005734.tif 000016